(57)【特許請求の範囲】
【請求項１】
識別子を伴う商品をパッケージングするためのシステムであって、
光学式分光リーダを使用して読み取り可能な第１の標識を各タイプが有する１つ以上のタイプのシリカベースのタグを商品に追加する識別子追加部と、
少なくとも一部には前記光学式分光リーダを使用して前記商品の前記１つ以上のタイプのシリカベースのタグを読み取ることに基づいて生成されるラベルであって物品情報を含むラベルを生成するラベル生成部と、
パッケージ上に前記ラベルを含め、前記パッケージのなかに前記商品を含めるパッケージング部と、
を備え、
前記タグは、前記タグを生物学的に不活性で且つ可食性にする透明なシリカで作成されているとともに、特定の反射率スペクトルを提供するようにエッチングによって生成された多孔性ナノ構造を含む、システム。
【請求項２】
請求項１に記載のシステムであって、
各タイプのシリカベースのタグは、光学式分光リーダを使用して読み取り可能な第２の標識を有する、システム。
【請求項３】
請求項１に記載のシステムであって、
前記１つ以上のタイプのシリカタグのうちの一タイプが、形状と、数に関連付けられた特性化を有することと、空間的配列の形に配置することと、前記１つ以上のタイプのシリカタグの一タイプの形状を撮像することによる特性化と、視界の範囲で見える信用マークを伴って若しくは伴わずに前記１つ以上のタイプのシリカタグの複数タイプを撮像することによる特性化と、のうちの１つ以上に応じて選択される、システム。
【請求項４】
請求項１に記載のシステムであって、
前記１つ以上のタイプのランダム形状のシリカタグは、超音波撹拌を使用して作成される、システム。
【請求項５】
請求項１に記載のシステムであって、
前記商品は、経口固形製剤を含む、システム。
【請求項６】
請求項５に記載のシステムであって、
前記経口固形製剤は、錠剤、カプセル、カプレット、粉末、結晶粉末、又は薄膜の１つを含む、システム。
【請求項７】
請求項１に記載のシステムであって、
前記商品は、液剤を含む、システム。
【請求項８】
請求項７に記載のシステムであって、
前記液剤は、クリーム、ゲル、塗布薬、香膏、水剤、注射剤、又は軟膏の１つを含む、システム。
【請求項９】
商品のパッケージであって、
光学式分光リーダを使用して読み取り可能な標識を各タイプが有する１つ状のタイプのシリカベースのタグを追加される１つ以上の商品と、
少なくとも一部には前記１つ以上のタイプのシリカベースのタグを読み取ることに基づいて生成されるラベルと、
を備え、
前記タグは、前記タグを生物学的に不活性で且つ可食性にする透明なシリカで作成されているとともに、特定の反射率スペクトルを提供するようにエッチングによって生成された多孔性ナノ構造を含む、パッケージ。
【請求項１０】
請求項９に記載のパッケージであって、
各タイプのシリカベースのタグは、光学式分光リーダを使用して読み取り可能な第２の標識を有する、パッケージ。
【請求項１１】
請求項９に記載のパッケージであって、
前記１つ以上の商品の１つは、経口固形製剤を含む、パッケージ。
【請求項１２】
請求項１１に記載のパッケージであって、
前記経口固形製剤は、錠剤、カプセル、カプレット、粉末、結晶粉末、又は薄膜の１つを含む、パッケージ。
【請求項１３】
請求項９に記載のパッケージであって、
前記１つ以上の商品の１つは、液剤を含む、パッケージ。
【請求項１４】
請求項１３に記載のパッケージであって、
前記液剤は、クリーム、ゲル、塗布薬、香膏、水剤、注射剤、又は軟膏の１つを含む、パッケージ。
【請求項１５】
識別子を伴う或るタイプの商品をパッケージングするためのシステムであって、
或るタイプの商品用の１つ以上の識別子を決定するエンコーダと、
少なくとも一部には前記１つ以上の識別子に基づいて決定される１つ以上のタイプのシリカベースのタグを作成するタグ作成部と、
前記１つ以上のタイプのシリカベースのタグを前記商品に追加する識別子追加部と、
を備え、
前記タグは、前記タグを生物学的に不活性で且つ可食性にする透明なシリカで作成されているとともに、特定の反射率スペクトルを提供するようにエッチングによって生成された多孔性ナノ構造を含む、システム。
【請求項１６】
請求項１５に記載のシステムであって、
前記１つ以上のタイプのシリカタグの一タイプが、形状と、数に関連付けられた特性化を有することと、空間的配列の形に配置することと、前記１つ以上のタイプのシリカタグの一タイプの形状を撮像することによる特性化と、視界の範囲で見える信用マークを伴って若しくは伴わずに前記１つ以上のタイプのシリカタグの複数タイプを撮像することによる特性化と、のうちの１つ以上に従って選択される、システム。
【請求項１７】
請求項１５に記載のシステムであって、
前記１つ以上のタイプのランダム形状のシリカタグは、超音波撹拌を使用して作成される、システム。
【請求項１８】
請求項１５に記載のシステムであって、
前記商品は、経口固形製剤を含む、システム。
【請求項１９】
請求項１８に記載のシステムであって、
前記経口固形製剤は、錠剤、カプセル、カプレット、粉末、結晶粉末、又は薄膜の１つを含む、システム。
【請求項２０】
請求項１５に記載のシステムであって、
前記商品は、液剤を含む、システム。
【請求項２１】
請求項２０に記載のシステムであって、
前記液剤は、クリーム、ゲル、塗布薬、香膏、水剤、注射剤、又は軟膏の１つを含む、システム。
【請求項２２】
識別子を伴う商品であって、
光学式分光リーダを使用して読み取り可能な標識を各タイプが有する１つ以上のタイプのシリカベースのタグがＳＯＤＦ又は液剤に追加されており、
前記タグは、前記タグを生物学的に不活性で且つ可食性にする透明なシリカで作成されているとともに、特定の反射率スペクトルを提供するようにエッチングによって生成された多孔性ナノ構造を含む、商品。
【請求項２３】
請求項２２に記載の商品であって、
各タイプのシリカベースのタグは、イメージャを使用して読み取り可能な標識を有する、商品。
【請求項２４】
請求項２２に記載の商品であって、
前記商品は、経口固形製剤を含む、商品。
【請求項２５】
請求項２４に記載の商品であって、
前記経口固形製剤は、錠剤、カプセル、カプレット、粉末、結晶粉末、又は薄膜の１つを含む、商品。
【請求項２６】
請求項２２に記載の商品であって、
前記１つ以上の商品の１つは、液剤を含む、商品。
【請求項２７】
請求項２６に記載の商品であって、
前記液剤は、クリーム、ゲル、塗布薬、香膏、水剤、注射剤、又は軟膏の１つを含む、商品。
【発明の詳細な説明】
【背景技術】
【０００１】
［関連出願の相互参照］
本出願は、２０１０年６月１４日に出願され「SYSTEM FOR PRODUCING A PACKAGED ITEM WITH AN IDENTIFIER（識別子を伴うパッケージング商品を作成するためのシステム）」と題された米国仮特許出願第６１／３５４，６３７号（代理人整理番号第ＣＢＩＯＰ００３＋）の優先権を主張する。該出願は、あらゆる目的のために、参照によって本明細書に組み込まれる。
【０００２】
商品（高価な商品を特に挙げられるが、限定はされない）（そのような商品の成分及び構成要素を含む）の生産業者又は再販業者（例えば製造業者を挙げられるが、供給業者、卸売販売業者、流通業者、再梱包業者、及び小売業者などの、供給・流通網全体のなかのその他の業者も含む）は、商品の偽造に直面している。偽造は、商品の意図する製品仕様と比べてその商品の成分又は構成要素を置き換える、希釈する、追加する、又は省略すること、及びパッケージング商品を虚偽表示する、又はパッケージング商品をその意図する販売コースから脱線させることを含む。これは、本物の商品の代わりに偽物の商品が販売されるゆえの、潜在的収益の損失を招く。また、偽物ではなく真正の商品を使用しないことによって、健康の被害又は製品関連の被害も引き起こされる可能性がある。例えば、偽物は、真正の商品と比べて機能が異なる又は全く機能しない可能性がある。これは、医薬品、栄養補助食品、医療機器、嗜好品、建造、輸送、及び防衛などに関わる産業などの、健康及び安全に影響を及ぼす産業において、とりわけ深刻である。
【０００３】
国際犯罪組織が巧妙さを増すにつれて、既存のパッケージングの安全性が不十分であることがわかってきた。例えば医薬産業の供給網などの、多くの産業における供給網の複雑性は、（１つ以上の）粗悪な又は偽物の製品がつけいる隙を与える。そのような製品は、多くの場合、手間暇かけて高品質にパッケージングされており、盗まれた真正のパッケージ又は一部をパッケージングしなおされたパッケージに包まれていることもある。
【０００４】
変動価格を伴う複雑な製品供給網及び市場では、悪徳業者が根本の製品に何ら変更を加えることなく製品の価格を虚偽表示し、例えば返品、割り戻し、又は支払取り消しなどの形で不正に金銭的利益を得る鞘取りを行うチャンスがある。記録管理の誤りから、取引のいずれの側にも貨幣損益が発生する恐れがある。
【０００５】
偽造又は製品の虚偽表示に加えて、例えば或る種の栄養補助食品などの、物理的に同一又は同様に見える商品は、実際は異なる成分又は構成要素を内包しているが、外観が同様であるゆえに、非意図的に誤ってパッケージング又はラベル付けされる恐れがある。これらの商品は、たとえそれ以外の点では同一であっても、特定のロット条件又はバッチ条件に関連する異なる性質を有するかもしれない。例えば、それ以外の点では同一に見える医薬品は、異なる有効期限を有するかもしれず、そのような差異を証明するための品質保証計画の不都合又は限界ゆえに、誤ってラベル付けされる恐れがある。
【０００６】
製品開発研究のためには、ときには、同一に見えるが異なるように作成された商品の性能を試験及び認証し、それらの差異が最終用途に影響するかどうか及びどのように影響するかを学習することが有益だろう。このような、例えば医薬品開発につながる盲検（すなわち「臨床的に中身を見えなくした」）試験などの試験では、ときには、被験者に真の内容を明かすことなく確信をもって根本の商品を識別可能であることが重要である。医薬品開発及び臨床実験の場合は、例えば、様々な製品配合を中身の見えない単位用量にパッケージングしなおす委託研究機関において、商品レベルで内容の誤りが引き起こされる恐れがある。最終的に管理される単位用量の真の内容を検証するために、多くの時間、コスト、及び努力が統計サンプリング及び化学分析に投入されている。
【０００７】
よりコスト効率が良く尚且つ適時なやり方で前向きな健康転帰を実現しようとする取り組みでは、ヘルスケア提供者は、特定の薬剤の効き目のみならず、治療計画の順守にも焦点を当てる必要がある。薬がいつ、どこで、どれくらいの頻度で医師によって処方され、どれくらいの正確さ及び適時さで薬局から調剤され、患者によって受け取られ、並びに患者によって消費されたかを理解することは、治療計画全体の有効性を理解及び検証するのに有用である。各段階で薬の根本の内容も確定することができつつ、適切な解析及び試験のためのデータを記録及び収集することが、収集される情報の信頼性にとって重要である。
（１）本発明の第１の形態は、
識別子を伴う商品をパッケージングするためのシステムであって、
光学式分光リーダを使用して読み取り可能な第１の標識を各タイプが有する１つ以上のタイプのシリカベースのタグを商品に追加する識別子追加部と、
少なくとも一部には前記光学式分光リーダを使用して前記商品の前記１つ以上のタイプのシリカベースのタグを読み取ることに基づいて生成されるラベルであって物品情報を含むラベルを生成するラベル生成部と、
パッケージ上に前記ラベルを含め、前記パッケージのなかに前記商品を含めるパッケージング部と、
を備え、
前記タグは、前記タグを生物学的に不活性で且つ可食性にする透明なシリカで作成されているとともに、特定の反射率スペクトルを提供するようにエッチングによって生成された多孔性ナノ構造を含む、システムである。
（２）本発明の第２の形態は、
商品のパッケージであって、
光学式分光リーダを使用して読み取り可能な標識を各タイプが有する１つ状のタイプのシリカベースのタグを追加される１つ以上の商品と、
少なくとも一部には前記１つ以上のタイプのシリカベースのタグを読み取ることに基づいて生成されるラベルと、
を備え、
前記タグは、前記タグを生物学的に不活性で且つ可食性にする透明なシリカで作成されているとともに、特定の反射率スペクトルを提供するようにエッチングによって生成された多孔性ナノ構造を含む、パッケージである。
（３）本発明の第３の形態は、
識別子を伴う或るタイプの商品をパッケージングするためのシステムであって、
或るタイプの商品用の１つ以上の識別子を決定するエンコーダと、
少なくとも一部には前記１つ以上の識別子に基づいて決定される１つ以上のタイプのシリカベースのタグを作成するタグ作成部と、
前記１つ以上のタイプのシリカベースのタグを前記商品に追加する識別子追加部と、
を備え、
前記タグは、前記タグを生物学的に不活性で且つ可食性にする透明なシリカで作成されているとともに、特定の反射率スペクトルを提供するようにエッチングによって生成された多孔性ナノ構造を含む、システムである。
（４）本発明の第４の形態は、
識別子を伴う商品であって、
光学式分光リーダを使用して読み取り可能な標識を各タイプが有する１つ以上のタイプのシリカベースのタグがＳＯＤＦ又は液剤に追加されており、
前記タグは、前記タグを生物学的に不活性で且つ可食性にする透明なシリカで作成されているとともに、特定の反射率スペクトルを提供するようにエッチングによって生成された多孔性ナノ構造を含む、商品である。
【図面の簡単な説明】
【０００８】
発明の様々な実施形態が、以下の詳細な説明及び添付の図面で開示される。
【０００９】
【図１】パッケージ作成装置の一実施形態を示したブロック図である。
【００１０】
【図２】識別子追加部の一実施形態を示したブロック図である。
【００１１】
【図３】エンコーダの一実施形態を示したブロック図である。
【００１２】
【図４】タグ作成部の一実施形態を示したブロック図である。
【００１３】
【図５】タグ選択部の一実施形態を示したブロック図である。
【００１４】
【図６】タグ配置部の一実施形態を示したブロック図である。
【００１５】
【図７Ａ】商品識別部の一実施形態を示したブロック図である。
【００１６】
【図７Ｂ】商品識別部の一実施形態を示したブロック図である。
【００１７】
【図７Ｃ】商品識別部の一実施形態を示したブロック図である。
【発明を実施するための形態】
【００１８】
発明は、プロセス、装置、システム、合成物、コンピュータによって読み取り可能なストレージ媒体に実装されたコンピュータプログラム製品、並びに／又は結合先のメモリに記憶された命令及び／若しくは結合先のメモリによって提供される命令を実行するように構成されたプロセッサなどのプロセッサを含む、数々の形態で実現することができる。本明細書では、これらの実現形態、又は発明がとりうるその他のあらゆる形態を、技術と称することができる。総じて、開示されたプロセスの工程の順番は、発明の範囲内で可変である。別途明記されない限り、タスクを実施するように構成されるとして説明されるプロセッサ又はメモリなどの構成要素は、所定時にタスクを実施するように一時的に構成される汎用の構成要素として、又はタスクを実施するように製造された特殊な構成要素として実装可能である。本明細書において、「プロセッサ」という用語は、コンピュータプログラム命令などのデータを処理するように構成された１つ以上のデバイス、回路、及び／又は処理コアを言う。
【００１９】
発明の原理を例示した添付の図面とともに、以下で、発明の１つ以上の実施形態の詳細な説明が提供される。発明は、このような実施形態との関連で説明されるが、いかなる実施形態にも限定されない。発明の範囲は、特許請求の範囲によってのみ限定され、発明は、数々の代替形態、変更形態、及び均等物を網羅している。以下の説明では、発明の完全な理解を提供するために、数々の具体的詳細が明記される。これらの詳細は、例示を目的として提供されるものであり、発明は、これらの詳細の一部又は全部を伴わずとも、特許請求の範囲にしたがって実施可能である。明瞭さを期するために、発明に関係する技術分野で知られる技工物は、発明が不必要に不明瞭にされないように、詳細な説明を省略されている。
【００２０】
識別子を伴うパッケージング商品を作成するためのシステムが開示される。パッケージは、商品上の場所に配された関連の１つ以上の選択されたタグ識別子をそれぞれ伴う１つ以上の商品を含む。検証装置は、のちに、１）スペクトル測定を使用して検出される関連の１つ以上の選択されたタグ識別子と、２）イメージャを使用して検出される商品上のタグ識別子の場所及び／又は形状と、３）ラベルリーダを使用して読み取られるラベルとを使用して、１つ以上の商品を検証する。
【００２１】
様々な実施形態において、パッケージは、個々に識別される商品を内包するか、或いはパッケージは、１つのタイプの商品を１つの識別子で、又は（１つ以上の）識別子及び／若しくは商品タイプのその他の任意の適切なマッピングで、又は任意の適切な商品若しくは商品タイプで識別される１つのタイプの商品を内包するかのいずれかである。例えば、各商品（例えば個々の芸術作品）が、個々に識別可能なタグの集合を有する、或いは各タイプの商品（例えば一連の芸術作品の全作品やリトグラフィによる一連の複製など）が、同じタグを有する。したがって、各個々の商品が、異なるタグを有するゆえに識別可能であるか、或いは同じタイプの全ての商品が、同じタグを有し、したがって、そのタイプの商品を個々に見分けることはできないがその他のタイプの商品からは区別可能である（例えば、ビタミンＤ錠剤に対してビタミンＣ錠剤、又は高用量の薬に対して低用量タイプの同等薬など）かのいずれかである。
【００２２】
様々な実施形態において、各商品に関連付けられたラベル又はデータベースエントリは、商品を認証するのに有用であるパッケージング商品に関する情報（ここでは物品情報と記す）を含む。例えば、薬についての物品情報は、投与量情報、有効期限、ロット番号などを含むことができる。物品情報は、関連付けられている商品に応じ、例えば（１つ以上の）成分、最小在庫管理単位（ＳＫＵ）数、識別子、物理的特性（例えば重量、寸法、容積など）、及び栄養成分などの、様々なタイプの情報を含むことができる。
【００２３】
様々な実施形態において、パッケージは、１つ以上の丸薬、液剤、試験紙、経皮貼付、又はその他の任意の適切な薬若しくは医療機器を含む、医薬品パッケージを含む。薬は、外側のコーティング内に追加された、又はコーティングされていない薬（例えば丸薬）の外層上に分布された、又は丸薬若しくは液剤の全体に分布された、又はその他の任意の適切なタグ識別子追加方式による、追加のタグ識別子を有する。様々な実施形態において、パッケージは、例えば、電子チップ、従属構成要素、医療機器、自動車若しくは航空機の部品、建物若しくは資材の供給、衣服、玩具、化粧品、宝石、時計、芸術作品、貨幣、チケット、公的身分証明書類、ワイン、又はグルメ食品などの、商品を含む。一部の実施形態では、タグは、ルゲートフィルタを含む。一部の実施形態では、識別のために、物理的配置が使用される。例えば、タグは、撮像機器を使用して検出可能なパターン（例えば幾何学形状やバーコードなど）に配される。一部の実施形態では、タグの形状が特性付けられ、識別のために、特性評価が使用される。一部の実施形態では、タグを配置するプロセスにランダム又は疑似ランダムな工程が含まれるゆえに、個々のタグの配置が部分的に変動可能であり、これは、タグの集まりごとに、一意の又は一意に近いタグ配置を可能にする。
【００２４】
様々な実施形態において、パッケージは、１つ以上の経口固形製剤（ＳＯＤＦ：例えば、錠剤、カプセル、カプレット、粉末、結晶粉末、薄膜など）、液剤（例えば、クリーム、ゲル、塗布薬、香膏、水剤、注射剤、軟膏など）、及び／又はその他の任意の適切な薬を含む、医薬品パッケージを含む。薬は、外側のコーティング内に追加された、又はコーティングされていない薬（例えばＳＯＤＦ）の外層上に分布された、又はＳＯＤＦ若しくは液剤の全体に分布された、又はその他の任意の適切なタグ識別子追加方式による、追加のタグ識別子を有する。様々な実施形態において、パッケージは、例えば電子チップなどの、製造商品を含む。一部の実施形態では、タグは、ルゲートフィルタを含む。一部の実施形態では、識別のために、物理的配置が使用される。例えば、タグは、撮像機器を使用して検出可能な形状（例えば円や四角など）又はパターン（例えば市松模様やバーコードなど）に配される。一部の実施形態では、１つ以上のタグ自体の形状が特性付けられ、識別のために、特性評価が使用される。一部の実施形態では、タグを配置するプロセスにランダム又は疑似ランダムな工程が含まれるゆえに、個々のタグの配置が部分的に変動可能であり、これは、タグの集まりごとに、一意の又は一意に近いタグ配置を可能にする。一部の実施形態では、検証装置は、商品上又はラベル上の１つ以上のタグの場所を測定し、タグの場所及び／又は形状からアルゴリズムによって標識（シグネチャー）を作成する。一部の実施形態では、アルゴリズムは、信用マークを伴って又は伴わずに複数タグの相対的配置及び／又は相対的形状を使用して、単一の商品標識を作成する。一部の実施形態では、アルゴリズムは、各タグの場所及び／又は形状から標識を作成し、次いで、商品上の２つ以上のタグからの標識を組み合わせて単一の標識にする。一部の実施形態では、アルゴリズムは、１つ以上のタグの場所及び／又は形状から導出される複数の標識を作成する。一部の実施形態では、検証装置は、１つ以上のタグの場所及び／又は形状から単一の標識を作成する。例えば、（１つ以上の）タグでマークされた商品が本物の商品であるかどうかを判定するために、１つのタグ形状若しくは複数のタグ形状の組み合わせを使用すること、又は１つ以上のタグを或るパターン若しくは配列に配したものを使用すること、又は１つ以上のタグの相対的場所を使用すること、又は１つのタグ若しくは１つ以上のタグのスペクトル標識を使用することを、単独で又は組み合わせて使用することができる。一部の実施形態では、超音波撹拌を使用して、様々な形状のタグが作成される。
【００２５】
一部の実施形態では、タグは、シリカ（食品医薬品局によって、「一般に安全と認められる」、すなわちＧＲＡＳであると見なされる）で作成され、これは、タグを、生物学的に不活性で且つ可食性にする。かろうじて見える各タグは、１０億を超える可能性のなかから選ばれた特注のスペクトル標識を内包しており、それでも尚、各商品にラベル付けするために必要なコストは、１セントに満たない。各タグの一意の光学的標識は、低コストのスキャナによって読み取って、安全なデータベースのなかでラベルにリンクさせることができる。このようなデータベースには、将来の経歴追跡電子システムなどのように、商品に関する追加の情報を格納することができる。タグは、エッチングによってコード化されるスペクトルコードを有するようにエッチングされたシリコンウエハを含む。ウエハは、小さいタグに分割され、結果得られるタグは、一意の反射率スペクトルを表示するように電気化学的合成中にプログラムされる複雑な多孔性ナノ構造を内包する。タグは、次いで、結晶質のナノ多孔性シリコンタグを非晶質のナノ多孔性シリカに変えるために、高温のベーク工程によって酸化される。このベーク工程は、ナノ多孔性構造を、更なる酸化に対抗して安定化させ（そうして、スペクトル標識を安定化させ）、タグを、ＧＲＡＳ添加物として特性付けられるようにする。薬及びパッケージの認証がまとめて行われ、パッケージ又は中身のいずれの改ざんでも安全性の侵害に対して警告を発するように、スペクトルは、単純で低コストの分光計ベースのリーダを通じて測定され、次いで、パッケージ上にプリントされたその他の情報に照らして迅速に検証される。一部の実施形態では、タグの反射率スペクトルに格納された情報が、更なる安全性のために、タグの形状又は配置に関する情報と組み合わされる。タグは、また、品質保証又はその他の目的のために、タグ自身が単純にラベルとして機能するように使用することもできる。ピーク数、ピーク配置、ピークルゲート位相、及び／又はピーク振幅を変調パラメータとして使用することによって、情報容量は、１兆の一意スペクトル候補に達すると予想される。タグは、パッシブで、目立たず、尚且つ読み取りのために、薬若しくは食品の外側に例えば透明な若しくは半透明なプラスチック製のブリスタ包装を通じて取り付けることができる、又は許可を得た保安係若しくは品質保証係による調査若しくは検査のプロセスの一環としての読み取りのために、検査用の添加物として薬若しくは食品に混ぜ込むことができる。
【００２６】
一部の実施形態では、タグの性質は、以下を含む。
・１０億を超える数のコードが利用可能である。
・目立たないサイズ範囲（２０μｍ〜１５０μｍ）が、隠された使用又は半ば隠された使用を可能にする。
・透明で高純度なシリカで作成され、これは、タグを生物学的に不活性で且つ可食性にする。
・耐高温性：１６００℃を超える融点。
・パッシブ：エネルギの出入りがない。
・製品、パッケージ、ラベル、又はセキュリティファイバの内外に使用することができる。
・スプレイ、コーティング、インク、ワニスを通じて、又はラミネートの一部として施すことができる。
・数々の製造工程において統合することができる。
・ランダムなタグ形状を使用することによって、高い安全性レベルが可能である。・安全性は、特定の製品のニーズに合わせて増減させることができる。
・自己認証可能に作成することができ、オンラインのデータベース及びメインテナンスに付随するコスト及び安全性の危険を低減させる。
・各シリカマイクロタグは、検査に有用な、コード化された情報を内包している。
【００２７】
一部の実施形態では、識別子を伴う商品をパッケージングするためのシステムは、識別子追加部と、ラベル生成部と、パッケージング部とを含む。識別子追加部は、光学式分光リーダを使用して読み取り可能な第１の標識を各タイプが有する１つ以上のタイプのシリカベースのタグを商品に追加する。少なくとも一部には光学式分光リーダを使用して商品の１つ以上のタイプのシリカベースのタグを読み取ることに基づいて、ラベルが生成される。ラベルは、物品情報を含む。パッケージング部は、パッケージ上にラベルを含め、パッケージのなかに商品を含める。一部の実施形態では、各タイプのシリカベースのタグは、光学式分光リーダを使用して読み取り可能な第２の標識を有する。様々な実施形態において、形状、数に関連付けられた特性化を有すること、空間的配列の形に配置すること、１つ以上のタイプのシリカタグの一タイプの形状を撮像することによる特性化、視界の範囲で見える信用マークを伴って若しくは伴わずに１つ以上のタイプのシリカタグの複数タイプを撮像することによる特性化、又はその他の任意の選択基準、のうちの１つ以上に応じて、１つ以上のタイプのシリカタグの一タイプが選択される。一部の実施形態では、１つ以上のタイプのランダム形状のシリカタグは、超音波撹拌を使用して作成される。様々な実施形態において、商品は、経口固形製剤、液剤、又はその他の任意の適切な商品を含む。様々な実施形態において、経口固形製剤は、錠剤、カプセル、カプレット、粉末、結晶粉末、薄膜、又はその他の任意の適切な形態の１つを含む。様々な実施形態において、液剤は、クリーム、ゲル、塗布薬、香膏、水剤、注射剤、軟膏、又はその他の任意の適切な形態の１つを含む。
【００２８】
一部の実施形態では、商品のパッケージは、１つ以上の商品と、ラベルとを含む。１つ以上の商品には、１つ以上のタイプのシリカベースのタグが追加され、各タイプのシリカベースのタグは、光学式分光リーダを使用して読み取り可能な標識を有する。ラベルは、少なくとも一部には１つ以上のタイプのシリカベースのタグを読み取ることに基づいて、生成される。一部の実施形態では、１つ以上の商品の１つは、経口固形製剤、液剤、又はその他の任意の適切な商品を含む。様々な実施形態において、経口固形製剤は、錠剤、カプセル、カプレット、粉末、結晶粉末、薄膜、又はその他の任意の適切な形態の１つを含む。様々な実施形態において、液剤は、クリーム、ゲル、塗布薬、香膏、水剤、注射剤、軟膏、又はその他の任意の適切な形態の１つを含む。
【００２９】
一部の実施形態では、識別子を伴う或るタイプの商品をパッケージングするためのシステムは、エンコーダと、タグ作成部と、識別子追加部とを含む。エンコーダは、或るタイプの商品用の１つ以上の識別子を決定する。タグ作成部は、少なくとも一部には１つ以上の識別子に基づいて決定される１つ以上のタイプのシリカベースのタグを作成する。１つ以上のタイプのシリカベースのタグは、商品に追加される。様々な実施形態において、形状、又は数に関連付けられた特性化を有すること、空間的配列の形に配置すること、１つ以上のタイプのシリカタグの一タイプの形状を撮像することによる特性化、視界の範囲で見える信用マークを伴って若しくは伴わずに１つ以上のタイプのシリカタグの複数タイプを撮像することによる特性化、又はその他の任意の選択基準、のうちの１つ以上に応じて、１つ以上のタイプのシリカタグの一タイプが選択される。一部の実施形態では、１つ以上のタイプのランダム形状のシリカタグは、超音波撹拌を使用して作成される。様々な実施形態において、商品は、経口固形製剤、液剤、又はその他の任意の適切な商品を含む。様々な実施形態において、経口固形製剤は、錠剤、カプセル、カプレット、粉末、結晶粉末、薄膜、又はその他の任意の適切な形態の１つを含む。様々な実施形態において、液剤は、クリーム、ゲル、塗布薬、香膏、水剤、注射剤、軟膏、又はその他の任意の適切な形態の１つを含む。
【００３０】
一部の実施形態では、識別子を伴う商品は、光学式分光リーダを使用して読み取り可能な標識を各タイプが有する１つ以上のタイプのシリカベースのタグを、ＳＯＤＦ又は液剤に追加される。一部の実施形態では、各タイプのシリカベースのタグは、光学式分光リーダを使用して読み取り可能な第２の標識を有する。様々な実施形態において、形状、数に関連付けられた特性化を有すること、空間的配列の形に配置すること、１つ以上のタイプのシリカタグの一タイプの形状を撮像することによる特性化、視界の範囲で見える信用マークを伴って若しくは伴わずに１つ以上のタイプのシリカタグの複数タイプを撮像することによる特性化、又は、その他の任意の選択基準、のうちの１つ以上に合わせて、１つ以上のタイプのシリカタグの一タイプが選択される。一部の実施形態では、１つ以上のタイプのランダム形状のシリカタグは、超音波撹拌を使用して作成される。様々な実施形態において、商品は、経口固形製剤、液剤、又はその他の任意の適切な商品を含む。様々な実施形態において、経口固形製剤は、錠剤、カプセル、カプレット、粉末、結晶粉末、薄膜、又はその他の任意の適切な形態の１つを含む。様々な実施形態において、液剤は、クリーム、ゲル、塗布薬、香膏、水剤、注射剤、軟膏、又はその他の任意の適切な形態の１つを含む。
【００３１】
図１は、パッケージ作成装置の一実施形態を示したブロック図である。図に示された例では、パッケージ作成装置１００は、識別子追加部１０２と、ラベル生成部１０４と、パッケージング部１０６とを含む。識別子追加部１０２は、識別子（例えば（１つ以上の）タグ）と、（１つ以上の）商品とを受信し、識別子を（１つ以上の）商品に追加する。識別子を伴う商品は、タグからのスペクトル情報、商品上におけるタグの配置情報（例えばパターン、コード、形状など）、並びにタグ形状及び／又は特性情報を求めてラベル生成部１０４によって測定される。ラベル生成部１０４は、商品から検出された情報と、鍵及び／又は物品情報とに基づいて、商品のパッケージ用のラベルを生成する。ラベルは、パッケージング部１０６を使用して、パッケージに追加される。
【００３２】
図２は、識別子追加部の一部の実施形態を示したブロック図である。一部の実施形態では、識別子追加部２００は、図１の識別子追加部１０２を実現するために使用される。図に示された例では、識別子追加部２００は、エンコーダ２０２と、タグ作成部２０４と、タグ選択部２０６と、タブ配置部２０８と、商品識別部２１０とを含む。商品識別子追加部２００は、商品識別子（例えば１つ以上のタグ）を商品に追加する。エンコーダ２０２は、商品用の（１つ以上の）タグを生成するために使用されるコードを決定する。例えば、コードは、特定の振幅若しくは特定の位相の反射率ピーク、又はルゲートタグについてのその他の特定の性質を示す。タグ作成部２０４は、少なくとも一部にはエンコーダ２０２によって提供されたコードに基づいて、（１つ以上の）タグを作成する。タグ選択部２０６は、やはり少なくとも一部にはエンコーダ２０２によって提供されたコードに基づいて、タグ作成部２０４によって作成された１つ以上のタグを選択する。例えば、コードは、商品用の識別子として適切な（１つ以上の）タグを示し、タグ選択部２０６は、正しいコードを伴うタグ、正しい形状を伴うタグ、適切な反射率ピークを伴うタグ、適切な反射率振幅を伴うタグ、適切な性質を伴うタグ、又はその他の任意の適切な選択基準に合ったものを選択する。一実施形態では、タグ配置部２０８は、少なくとも一部にはエンコーダ２０２によって決定されたコードに基づいて、商品上におけるタグの配置を示す。一実施形態では、タグ配置部２０８は、少なくとも一部にはあらゆる制御パラメータと無関係に、タグの配置を示す。商品識別部２１０は、タグ選択部２０６によって選択された（１つ以上の）タグを、タグ配置部２０８による指示にしたがって配置する。
【００３３】
図３は、エンコーダの一部の実施形態を示したブロック図である。一部の実施形態では、エンコーダ３００は、図２のエンコーダ２０２を実現するために使用される。図に示された例では、エンコーダ３００は、ＥＣＣエンコーダ３０２と、物理的エンコーダ３０４とを含む。エンコーダ３００は、識別子の入力を受けて、（１つ以上の）タグ作成部命令、（１つ以上の）タグ選択部命令、及び（１つ以上の）タグ配置部命令を決定する。ＥＣＣエンコーダ３０２は、識別子を受信し、誤り訂正コーディング（ＥＣＣ）エンコーディングを追加する。したがって、識別子は、読み取りプロセスにおいて何らかの誤りが生じた場合に、読み取り時に訂正することが可能である。識別子並びにＥＣＣ数（例えばビット及びバイト）は、物理的エンコーダ３０４によって、タグの物理的性質、タグの選択、又はタグの場所（例えば、反射率ピークの場所、ピークの振幅、タグ用の選択基準、及び場所の指示）としてコード化される。
【００３４】
図４は、タグ作成部の一部の実施形態を示したブロック図である。一部の実施形態では、タグ作成部４００は、図２のタグ作成部２０４を実現するために使用される。図に示された例では、タグ作成部４００は、波形決定部４０２と、タグ形成部４０４とを含む。波形決定部４０２は、タグ作成部命令（例えばエンコーダによって生成された指示）を使用してタグを生成するために使用される。例えば、シリコン（Ｓｉ）ウエハ内への多孔性−深さプロフィールのエッチングに使用される複合波を生成するために、異なる周波数を持つ複数のサイン波が足し合わされる。波形（例えば電流−時間波形）は、シリコンマイクロタグの多孔性としてコード化される。シリコンマイクロタグは、コード化された波形のエッチング後、（例えば９００〜１０００℃に加熱することによる）熱酸化によって、二酸化シリコン（ＳｉＯ2）に変換される。タグ形成部４０４は、波形決定部４０２によって決定された波形を使用して、入力された（１枚以上の）シリコンウエハからタグを生成する。
【００３５】
図５は、タグ選択部の一部の実施形態を示したブロック図である。一部の実施形態では、タグ選択部５００は、図２のタグ選択部２０６を実現するために使用される。図に示された例では、タグ選択部５００は、タグ評価部５０２と、物理的選択部５０４とを含む。タグ選択部５００は、タグ（例えばタグ作成部によって作成されたタグ）及びタグ選択部命令（例えばエンコーダからの指示）を受信し、タグの評価及び選択を行う。タグ評価部５０２は、選択されるタグを決定するために、少なくとも一部にはタグ選択部命令に基づいて、入ってくるタグを評価してタグ及び評価を物理的選択部５０４に引き渡す。
【００３６】
図６は、タグ配置部の一部の実施形態を示したブロック図である。一部の実施形態では、タグ配置部６００は、図２のタグ配置部２０８を実現するために使用される。図に示された例では、タグ配置部６００は、商品識別部用タグ配置生成部６０２を含む。タグ配置部６００は、（例えばエンコーダからの）タグ配置部命令を受信し、商品上にタグを配するための指示を商品識別部に提供する。例えば、タグは、幾何学パターン、バーコードパターン、又は一連の英数字でＳＯＤＦ表面上に配される。
【００３７】
図７Ａは、商品識別部の一部の実施形態を示したブロック図である。一部の実施形態では、商品識別部７００は、タグ・被覆剤混合部７０２と、被覆剤適用部７０４とを含む。商品識別部７００は、入力される被覆剤及びタグ配置指示を受信し、選択されたタグを商品の被覆内に配する。タグ・被覆剤混合部７０２は、（例えばタグ選択部からの）選択されたタグを受信し、選択されたタグと被覆剤とを混合する。被覆剤適用部７０４は、タグ配置の指示を受信し、タグと被覆剤との混合物を（１つ以上の）商品上に適切に配する。
【００３８】
図７Ｂは、商品識別部の一部の実施形態を示したブロック図である。一部の実施形態では、商品識別部７２０は、表面適用部７２２を含む。商品識別部７２０は、タグ配置指示を受信し、選択されたタグを商品の表面上に配する。表面適用部７２２は、タグ配置の指示を受信し、選択されたタグを、例えば幾何学パターン又は英数字パターンなどの或るパターンで商品の表面上に配する。
【００３９】
図７Ｃは、商品識別部の一部の実施形態を示したブロック図である。一部の実施形態では、商品識別部７４０は、内部配置部７４２を含む。商品識別部７４０は、タグ配置指示を受信し、選択されたタグを商品の内部に配する。内部配置部７４２は、タグ配置の指示を受信し、選択されたタグを、或るパターンで配する、又は例えば液剤に懸濁された、若しくはＳＯＤＦ内に均一に若しくは不均一に分布されたなどのように、商品の内部に配する。
【００４０】
以上の実施形態は、理解を明瞭にする目的で幾らか詳細に説明されてきたが、発明は、提供された詳細に限定されない。発明を実現するためには、数々の代替的手法がある。開示された実施形態は、例示のためであり、限定的ではない。
本発明は、以下の適用例としても実現可能である。
［適用例１］
識別子を伴う商品をパッケージングするためのシステムであって、
光学式分光リーダを使用して読み取り可能な第１の標識を各タイプが有する１つ以上のタイプのシリカベースのタグを商品に追加する識別子追加部と、
少なくとも一部には前記光学式分光リーダを使用して前記商品の前記１つ以上のタイプのシリカベースのタグを読み取ることに基づいて生成されるラベルであって物品情報を含むラベルを生成するラベル生成部と、
パッケージ上に前記ラベルを含め、前記パッケージのなかに前記商品を含めるパッケージング部と、
を備えるシステム。
［適用例２］
適用例１に記載のシステムであって、
各タイプのシリカベースのタグは、光学式分光リーダを使用して読み取り可能な第２の標識を有する、システム。
［適用例３］
適用例１に記載のシステムであって、
前記１つ以上のタイプのシリカタグのうちの一タイプが、形状と、数に関連付けられた特性化を有することと、空間的配列の形に配置することと、前記１つ以上のタイプのシリカタグの一タイプの形状を撮像することによる特性化と、視界の範囲で見える信用マークを伴って若しくは伴わずに前記１つ以上のタイプのシリカタグの複数タイプを撮像することによる特性化と、のうちの１つ以上に応じて選択される、システム。
［適用例４］
適用例１に記載のシステムであって、
前記１つ以上のタイプのランダム形状のシリカタグは、超音波撹拌を使用して作成される、システム。
［適用例５］
適用例１に記載のシステムであって、
前記商品は、経口固形製剤を含む、システム。
［適用例６］
適用例５に記載のシステムであって、
前記経口固形製剤は、錠剤、カプセル、カプレット、粉末、結晶粉末、又は薄膜の１つを含む、システム。
［適用例７］
適用例１に記載のシステムであって、
前記商品は、液剤を含む、システム。
［適用例８］
適用例７に記載のシステムであって、
前記液剤は、クリーム、ゲル、塗布薬、香膏、水剤、注射剤、又は軟膏の１つを含む、システム。
［適用例９］
商品のパッケージであって、
光学式分光リーダを使用して読み取り可能な標識を各タイプが有する１つ状のタイプのシリカベースのタグを追加される１つ以上の商品と、
少なくとも一部には前記１つ以上のタイプのシリカベースのタグを読み取ることに基づいて生成されるラベルと、
を備えるパッケージ。
［適用例１０］
適用例９に記載のパッケージであって、
各タイプのシリカベースのタグは、光学式分光リーダを使用して読み取り可能な第２の標識を有する、パッケージ。
［適用例１１］
適用例９に記載のパッケージであって、
前記１つ以上の商品の１つは、経口固形製剤を含む、パッケージ。
［適用例１２］
適用例１１に記載のパッケージであって、
前記経口固形製剤は、錠剤、カプセル、カプレット、粉末、結晶粉末、又は薄膜の１つを含む、パッケージ。
［適用例１３］
適用例９に記載のパッケージであって、
前記１つ以上の商品の１つは、液剤を含む、パッケージ。
［適用例１４］
適用例１３に記載のパッケージであって、
前記液剤は、クリーム、ゲル、塗布薬、香膏、水剤、注射剤、又は軟膏の１つを含む、パッケージ。
［適用例１５］
識別子を伴う或るタイプの商品をパッケージングするためのシステムであって、
或るタイプの商品用の１つ以上の識別子を決定するエンコーダと、
少なくとも一部には前記１つ以上の識別子に基づいて決定される１つ以上のタイプのシリカベースのタグを作成するタグ作成部と、
前記１つ以上のタイプのシリカベースのタグを前記商品に追加する識別子追加部と、
を備えるシステム。
［適用例１６］
適用例１５に記載のシステムであって、
前記１つ以上のタイプのシリカタグの一タイプが、形状と、数に関連付けられた特性化を有することと、空間的配列の形に配置することと、前記１つ以上のタイプのシリカタグの一タイプの形状を撮像することによる特性化と、視界の範囲で見える信用マークを伴って若しくは伴わずに前記１つ以上のタイプのシリカタグの複数タイプを撮像することによる特性化と、のうちの１つ以上に従って選択される、システム。
［適用例１７］
適用例１５に記載のシステムであって、
前記１つ以上のタイプのランダム形状のシリカタグは、超音波撹拌を使用して作成される、システム。
［適用例１８］
適用例１５に記載のシステムであって、
前記商品は、経口固形製剤を含む、システム。
［適用例１９］
適用例１８に記載のシステムであって、
前記経口固形製剤は、錠剤、カプセル、カプレット、粉末、結晶粉末、又は薄膜の１つを含む、システム。
［適用例２０］
適用例１５に記載のシステムであって、
前記商品は、液剤を含む、システム。
［適用例２１］
適用例２０に記載のシステムであって、
前記液剤は、クリーム、ゲル、塗布薬、香膏、水剤、注射剤、又は軟膏の１つを含む、システム。
［適用例２２］
識別子を伴う商品であって、
光学式分光リーダを使用して読み取り可能な標識を各タイプが有する１つ以上のタイプのシリカベースのタグがＳＯＤＦ又は液剤に追加されている商品。
［適用例２３］
適用例２２に記載の商品であって、
各タイプのシリカベースのタグは、イメージャを使用して読み取り可能な標識を有する、商品。
［適用例２４］
適用例２２に記載の商品であって、
前記商品は、経口固形製剤を含む、商品。
［適用例２５］
適用例２４に記載の商品であって、
前記経口固形製剤は、錠剤、カプセル、カプレット、粉末、結晶粉末、又は薄膜の１つを含む、商品。
［適用例２６］
適用例２２に記載の商品であって、
前記１つ以上の商品の１つは、液剤を含む、商品。
［適用例２７］
適用例２６に記載の商品であって、
前記液剤は、クリーム、ゲル、塗布薬、香膏、水剤、注射剤、又は軟膏の１つを含む、商品。
【図１】
0005855646.tif 000002
【図２】
0005855646.tif 000003
【図３】
0005855646.tif 000004
【図４】
0005855646.tif 000005
【図５】
0005855646.tif 000006
【図６】
0005855646.tif 000007
【図７Ａ】
0005855646.tif 000008
【図７Ｂ】
0005855646.tif 000009
【図７Ｃ】
0005855646.tif 000010